(57)【要約】  室外ユニットは、側方に空気を吸い込む吸気部が形成され、上方に吸気部から吸い込まれた空気を吹き出す吹出部が形成され、吸気部と吹出部との間に風路が形成された本体ケースと、風路に配設された熱交換器と、熱交換器の上方で風路に配設されたファンユニットと、ファンユニットを、本体ケースに取り付けている取付部材と、を備え、取付部材は、本体ケースに固定された固定部と、ファンユニットを保持しているユニット保持部と、を有し、ユニット保持部が、固定部から下方に窪んでいるものである。
2017094056.tif 000002
【特許請求の範囲】
【請求項１】
側方に空気を吸い込む吸気部が形成され、上方に前記吸気部から吸い込まれた前記空気を吹き出す吹出部が形成され、前記吸気部と前記吹出部との間に風路が形成された本体ケースと、
前記風路に配設された熱交換器と、
前記熱交換器の上方で前記風路に配設されたファンユニットと、
前記ファンユニットを、前記本体ケースに取り付けている取付部材と、を備え、
前記取付部材は、前記本体ケースに固定された固定部と、前記ファンユニットを保持しているユニット保持部と、を有し、
前記ユニット保持部が、前記固定部から下方に窪んでいる、
室外ユニット。
【請求項２】
前記ファンユニットは、上方に突出した駆動軸を有するファンモータと、前記駆動軸に取り付けられたファンと、を含み、
前記ファンは、中央のボス部と、前記ボス部の周囲に形成された翼部と、を有し、
前記ボス部の上部が、前記翼部の頂部から下方に窪んでいる、
請求項１に記載の室外ユニット。
【請求項３】
前記ファンの上方を覆うファンガード部をさらに備え、
前記ファンガード部の外周部が、前記本体ケースに固定されている、
請求項２に記載の室外ユニット。
【請求項４】
前記取付部材は、前記ボス部と前記翼部との接続部と前記翼部の端部とを結ぶ直線の中間位置よりも外方で、前記固定部から下方に曲げられた形状を有している、
請求項２または請求項３に記載の室外ユニット。
【請求項５】
前記本体ケースは、側方に４つの側面を含む形状を有し、
前記取付部材は、対向する前記側面の両側で、前記本体ケースと固定されている、
請求項１〜請求項４の何れか一項に記載の室外ユニット。
【請求項６】
前記吸気部は、４つの前記側面のそれぞれに形成されており、
前記熱交換器は、前記吸気部のそれぞれと対向し、それぞれの前記吸気部から吸い込まれた前記空気と熱交換する、４つの熱交換部を有する、
請求項５に記載の室外ユニット。
【発明の詳細な説明】
【技術分野】
【０００１】
この発明は、側方から吸い込んだ空気を上方から吹き出す室外ユニットに関する。
【背景技術】
【０００２】
従来から、側方から吸い込んだ空気を上方から吹き出す室外ユニットが知られている（例えば、特許文献１参照）。
【先行技術文献】
【特許文献】
【０００３】
【特許文献１】特許第５３９８２８３号公報
【発明の概要】
【発明が解決しようとする課題】
【０００４】
しかしながら、特許文献１に記載されているような従来の室外ユニットでは、本体ケースに取り付けられた直線形状の取付部材に、ファンユニットが取り付けられているため、室外ユニットが大型化している。【０００５】
この発明は、上記のような課題を背景としてなされたものであり、小型化された室外ユニットを得ることを目的としている。
【課題を解決するための手段】
【０００６】
この発明に係る室外ユニットは、側方に空気を吸い込む吸気部が形成され、上方に吸気部から吸い込まれた空気を吹き出す吹出部が形成され、吸気部と吹出部との間に風路が形成された本体ケースと、風路に配設された熱交換器と、熱交換器の上方で風路に配設されたファンユニットと、ファンユニットを、本体ケースに取り付けている取付部材と、を備え、取付部材は、本体ケースに固定された固定部と、ファンユニットを保持しているユニット保持部と、を有し、ユニット保持部が、固定部から下方に窪んでいるものである。
【発明の効果】
【０００７】
この発明によれば、固定部から下方に窪んだユニット保持部にファンユニットが保持されているため、小型化された室外ユニットを得ることができる。
【図面の簡単な説明】
【０００８】
【図１】この発明の実施の形態１に係る室外ユニットの構成の一例を示す図である。
【図２】図１に記載の室外ユニットと接続される室内ユニットの構成の一例を示す図である。
【図３】この発明の実施の形態１に係る室外ユニットの前面および左側面を斜めから見た図である。
【図４】図３に記載の室外ユニットの背面および右側面を斜めから見た図である。
【図５】図３および図４に記載の室外ユニットの熱交換室の断面を模式的に記載した図である。
【図６】図３および図４に記載の室外ユニットのファンユニットが収容された部分の断面を模式的に記載した図である。
【図７】図６に記載の取付部材の本体ケースへの取り付けの状態を説明する図である。
【図８】図７に記載のファンモータおよび取付部材を拡大した図である。
【図９】ファンの径方向位置とファンの吸気の速度との関係を説明する図である。
【図１０】図５の比較例である比較例１の図である。
【図１１】図６の比較例である比較例２の図である。
【図１２】室外ユニットの吸気排気ロスについて、実施の形態１の室外ユニットと、比較例１と、比較例２と、を比較した図である。
【発明を実施するための形態】
【０００９】
以下、図面を参照して、この発明の実施の形態について説明する。なお、各図中、同一または相当する部分には、同一符号を付して、その説明を適宜省略または簡略化する。また、各図に記載の構成について、その形状、大きさおよび配置等は、この発明の範囲内で適宜変更することができる。
【００１０】
実施の形態１．
［冷凍サイクル装置］
図１は、この発明の実施の形態１に係る室外ユニットの構成の一例を示す図であり、図２は、図１に記載の室外ユニットと接続される室内ユニットの構成の一例を示す図である。図１に記載の室外ユニット１と図２に記載の室内ユニット２００とが冷媒配管で接続されることによって、図示を省略してある冷凍サイクル装置が構成される。図示を省略してある冷凍サイクル装置は、例えば、ビルまたは商業施設等の空調を行う空気調和装置に適用される。室外ユニット１と室内ユニット２００とが冷媒配管で接続されることによって、少なくとも圧縮機１２と流路切替装置１４と利用側熱交換器２０２と膨脹装置２０４と熱交換器１８とが冷媒配管で接続され、冷媒が循環する冷媒回路が形成される。
【００１１】
［室内ユニット］
図２に記載の室内ユニット２００は、空調対象である室内等に設置されるものであり、例えば、利用側熱交換器２０２と膨脹装置２０４とを備えている。利用側熱交換器２０２は、例えば冷媒を空気と熱交換させるものであり、例えば、冷媒が流れる伝熱管と、伝熱管に取り付けられた複数のフィンと、を含んで構成されている。利用側熱交換器２０２の近傍には、利用側熱交換器２０２への送風を行う室内ファン（図示を省略）が設置されている。膨脹装置２０４は、冷媒を膨脹させるものであり、例えば、開度を調整できるＬＥＶ（リニア電子膨張弁）であるが、開度を調整できないキャピラリーチューブ等であってもよい。
【００１２】
［室外ユニット］
図１に記載の室外ユニット１は、部屋の外部の屋外に設置され、空調の熱を廃熱または供給する熱源機として機能するものである。室外ユニット１は、圧縮機１２と第１流路切替装置１４Ａと第２流路切替装置１４Ｂと第１減圧装置１６Ａと第２減圧装置１６Ｂと第１熱交換器１８Ａと第２熱交換器１８Ｂとアキュムレータ２６とを備えている。なお、以下では、この実施の形態の理解を容易にするため、第１流路切替装置１４Ａおよび第２流路切替装置１４Ｂを、単に流路切替装置１４として説明を行う場合があり、第１減圧装置１６Ａおよび第２減圧装置１６Ｂを、単に減圧装置１６として説明を行う場合があり、第１熱交換器１８Ａおよび第２熱交換器１８Ｂを、単に熱交換器１８として説明を行う場合もある。
【００１３】
圧縮機１２は、冷媒を吸入し圧縮して高温高圧の状態で吐出するものである。圧縮機１２は、例えば、容量制御可能なインバータ圧縮機であるが、一定速タイプのものであってもよい。流路切替装置１４は、冷房運転または暖房運転の運転モードの切替に応じて、暖房流路と冷房流路との切替を行うものであって、例えば四方弁で構成されている。流路切替装置１４は、例えば複数の二方弁等を組み合わせて構成されてもよい。
【００１４】
減圧装置１６は、熱交換器１８に流入させる冷媒を減圧するものであり、例えば、開度を調整できる電動弁であるが、開度を調整できないキャピラリーチューブ等であってもよい。熱交換器１８は、冷媒を空気と熱交換させるものであり、例えば、冷媒が流れる伝熱管と、伝熱管に取り付けられた複数のフィンと、を含んで構成されている。なお、伝熱管は、例えば円または扁平の形状を有している。フィンは、空気が流れる方向と平行に配設されている。アキュムレータ２６は、冷媒を貯留するものであり、圧縮機１２の吸入側に接続されている。圧縮機１２は、アキュムレータ２６に貯留された冷媒のうちガス冷媒を吸入する。
【００１５】
次に、室外ユニット１および室内ユニット２００の動作の一例について説明する。
【００１６】
［冷房運転］
まず、冷房運転時の室外ユニット１および室内ユニット２００の動作の一例について説明する。冷房運転を行うときは、図１に記載の第１流路切替装置１４Ａおよび第２流路切替装置１４Ｂが破線で示すように流路を接続している。すなわち、第１流路切替装置１４Ａおよび第２流路切替装置１４Ｂは、圧縮機１２の吐出側を、第１熱交換器１８Ａおよび第２熱交換器１８Ｂに接続し、圧縮機１２の吸入側を、アキュムレータ２６を介して、図２に示す室内ユニット２００の利用側熱交換器２０２に接続している。図１に示す圧縮機１２で圧縮された冷媒は、第１流路切替装置１４Ａ、第２流路切替装置１４Ｂを介して、第１熱交換器１８Ａ、第２熱交換器１８Ｂを流れる。第１熱交換器１８Ａ、第２熱交換器１８Ｂを流れて凝縮された冷媒は、室外ユニット１から流出して、図２に示す室内ユニット２００に流入する。室内ユニット２００に流入した冷媒は、膨脹装置２０４で膨脹され、利用側熱交換器２０２を流れる。利用側熱交換器２０２を流れて蒸発した冷媒は、室内ユニット２００から流出して、図１に示す室外ユニット１に流入する。室外ユニット１に流入した冷媒は、第１流路切替装置１４Ａを介して、アキュムレータ２６に貯留される。アキュムレータ２６に貯留された冷媒は、圧縮機１２に吸入され、再び圧縮される。
【００１７】
［暖房運転］
次に、暖房運転時の室外ユニット１および室内ユニット２００の動作の一例について説明する。暖房運転を行うときは、図１に記載の第１流路切替装置１４Ａおよび第２流路切替装置１４Ｂが実線で示すように流路を接続している。すなわち、第１流路切替装置１４Ａおよび第２流路切替装置１４Ｂは、圧縮機１２の吐出側を、図２に示す室内ユニット２００の利用側熱交換器２０２に接続し、図１に示す圧縮機１２の吸入側を、アキュムレータ２６を介して、第１熱交換器１８Ａおよび第２熱交換器１８Ｂに接続している。圧縮機１２で圧縮された冷媒は、第１流路切替装置１４Ａを介して、室外ユニット１から流出し、図２に示す室内ユニット２００に流入する。室内ユニット２００に流入した冷媒は、利用側熱交換器２０２に流れて凝縮して、膨脹装置２０４で膨脹される。膨脹装置２０４で膨脹された冷媒は、室内ユニット２００から流出して、図１に示す室外ユニット１に流入する。室外ユニット１に流入した冷媒は、第１減圧装置１６Ａ、第２減圧装置１６Ｂで減圧されて、第１熱交換器１８Ａ、第２熱交換器１８Ｂを流れる。第１熱交換器１８Ａ、第２熱交換器１８Ｂを流れて蒸発した冷媒は、第１流路切替装置１４Ａ、第２流路切替装置１４Ｂを介して、アキュムレータ２６に貯留される。アキュムレータ２６に貯留された冷媒は、圧縮機１２に吸入され、再び圧縮される。
【００１８】
［室外ユニットの構造］
図３は、この発明の実施の形態１に係る室外ユニットの前面および左側面を斜めから見た図であり、図４は、図３に記載の室外ユニットの背面および右側面を斜めから見た図であり、図５は、図３および図４に記載の室外ユニットの熱交換室の断面を模式的に記載した図であり、図６は、図３および図４に記載の室外ユニットのファンユニットが収容された部分の断面を模式的に記載した図であり、図７は、図６に記載の取付部材の本体ケースへの取り付けの状態を説明する図であり、図８は、図７に記載のファンモータおよび取付部材を拡大した図である。図３〜図８を用いて、この実施の形態に係る室外ユニット１の具体的な構造について説明する。
【００１９】
図３および図４に示すように、この実施の形態に係る室外ユニット１は、本体ケース１０１を有しており、本体ケース１０１の内部に、圧縮機１２、流路切替装置１４、減圧装置１６、熱交換器１８、およびアキュムレータ２６等を収容している。本体ケース１０１は、例えば略直方体の形状を有しており、側方に空気を吸い込む吸気部１０４が形成され、上方に空気を吹き出す吹出部１０９が形成されている。つまり、この実施の形態に係る室外ユニット１は、側方から吸い込んだ空気を上方から吹き出すものである。
【００２０】
本体ケース１０１の下部は、開閉パネル１０２Ａと左側面下部パネル１０２Ｂと背面下部パネル１０２Ｃと右側面下部パネル１０２Ｄとで覆われており、例えば圧縮機１２等が収容された機械室１０３を形成している。開閉パネル１０２Ａ、左側面下部パネル１０２Ｂ、背面下部パネル１０２Ｃ、および右側面下部パネル１０２Ｄは、略平板状の部材であって、室外ユニット１の下部の外郭を構成するものである。開閉パネル１０２Ａは、室外ユニット１の前面の下部に配設され、左側面下部パネル１０２Ｂは、室外ユニット１の左側面の下部に配設され、背面下部パネル１０２Ｃは、室外ユニット１の背面の下部に配設され、右側面下部パネル１０２Ｄは、室外ユニット１の右側面の下部に配設されている。図３に記載の開閉パネル１０２Ａは、本体ケース１０１に開閉自在に取り付けられている。開閉パネル１０２Ａを開けることによって、本体ケース１０１の内部に配設された圧縮機１２および電装品箱（図示を省略）等のメンテナンス等を行うことができるようになっている。なお、この実施の形態の例の室外ユニット１は、開閉パネル１０２Ａ、左側面下部パネル１０２Ｂ、背面下部パネル１０２Ｃ、および右側面下部パネル１０２Ｄの、全てまたは一部が省略されたものであってもよい。
【００２１】
図３〜図５に示すように、本体ケース１０１の機械室１０３の上部には、熱交換器１８が収容された熱交換室１０５が形成されている。この実施の形態の例の本体ケース１０１は、本体ケース１０１の全周に、空気を吸い込む吸気部１０４を有している。つまり、本体ケース１０１は、前面から空気を吸い込む前面吸気部１０４Ａと、左側面から空気を吸い込む左側面吸気部１０４Ｂと、背面から空気を吸い込む背面吸気部１０４Ｃと、右側面から空気を吸い込む右側面吸気部１０４Ｄと、を有している。例えば、前面吸気部１０４Ａ、左側面吸気部１０４Ｂ、背面吸気部１０４Ｃ、および右側面吸気部１０４Ｄのそれぞれには、空気を通過させる複数の空気吸込口が形成されたパネルが配設されている。なお、この実施の形態に係る室外ユニット１は、パネルが省略されたフレーム型の室外ユニットであってもよい。
【００２２】
図３および図４に示すように、本体ケース１０１の熱交換室１０５の上部は、ベルマウス部１０６を形成している。ベルマウス部１０６は、円筒の形状を有しており、上方に空気を吹き出す吹出部１０９が形成されている。図６に示すように、ベルマウス部１０６の内部には、ファン２２が収容されている。ベルマウス部１０６には、ファン２２の上方を覆うファンガード部１１０が取り付けられている。ファンガード部１１０は、その外周部がベルマウス部１０６に固定されている。
【００２３】
ファン２２が動作することによって、図３〜図５に示す前面吸気部１０４Ａ、左側面吸気部１０４Ｂ、背面吸気部１０４Ｃ、および右側面吸気部１０４Ｄから空気が吸い込まれる。吸い込まれた空気は、熱交換器１８を通過して熱交換されたのちに、図３および図４に記載の吹出部１０９から排気される。
【００２４】
図５に示すように、この実施の形態の例の熱交換器１８は、４つの側面に形成された吸気部１０４から吸い込まれた空気と熱交換する４つの熱交換部を有している。すなわち、前面吸気部１０４Ａから取り込まれた空気は、第１熱交換器１８Ａの前面吸気部１０４Ａと対向する部分を通過して熱交換される。左側面吸気部１０４Ｂから取り込まれた空気は、第２熱交換器１８Ｂの左側面吸気部１０４Ｂと対向する部分を通過して熱交換される。背面吸気部１０４Ｃから取り込まれた空気は、第２熱交換器１８Ｂの背面吸気部１０４Ｃと対向する部分を通過して熱交換される。右側面吸気部１０４Ｄから取り込まれた空気は、第１熱交換器１８Ａの右側面吸気部１０４Ｄと対向する部分を通過して熱交換される。そして、熱交換器１８を通過して熱交換された空気は、図３および図４に記載の吹出部１０９から吹き出される。この実施の形態の例では、室外ユニット１の前面、両側面および背面の全周方向から、空気が均一に吸い込まれるため、空力性能が向上されている。この実施の形態の例の室外ユニット１では、空力性能が向上されているため、ファンを駆動する電力が低減され、さらにファンを駆動したときの騒音が低減される。
【００２５】
［ファンユニットの設置］
図６に示すように、ファンユニット２４は、ファン２２とファンモータ２３とを有している。ファンユニット２４は、取付部材９０によって、本体ケース１０１に取り付けられている。図６および図７に示すように、取付部材９０は、本体ケース１０１に固定された固定部９２と、ファンユニット２４のファンモータ２３を保持しているユニット保持部９４と、を含んでいる。固定部９２は、ユニット保持部９４の両側に形成されており、本体ケース１０１に固定されている。すなわち、固定部９２は、本体ケース１０１の前面側上部の前面側フレーム８６と、本体ケース１０１の背面側上部の背面側フレーム８７と、に固定されている。なお、固定部９２は、本体ケース１０１の左側面のフレームと、本体ケース１０１の右側面のフレームと、に固定されていてもよい。図７および図８に示すように、固定部９２とユニット保持部９４とは連結部９３で連結されており、ユニット保持部９４は、固定部９２から下方に窪んでいる。つまり、取付部材９０は、固定部９２から、ユニット保持部９４が下方に飛び出た形状を有している。例えば、取付部材９０は、曲げ加工等によって形成されており、固定部９２と連結部９３とユニット保持部９４とが一体的に形成されている。そして、ファンモータ２３は、固定部９２から下方に窪んだユニット保持部９４に固定されている。
【００２６】
ファンモータ２３は、上方に突出した駆動軸２３Ａを有している。図６に示すように、ファン２２は、ファンモータ２３の駆動軸２３Ａに取り付けられている。ファン２２は、中央のボス部２２Ａと、ボス部２２Ａの周囲に形成された翼部２２Ｂとを有している。ボス部２２Ａの上部は、翼部２２Ｂの頂部よりも下方に窪んでおり、ファンガード部１１０とファン２２との接触のおそれが低減されている。なぜなら、ファンガード部１１０は、外周部がベルマウス部１０６に固定されている。したがって、仮想線１１０Ａで示すように、ファンガード部１１０に力が加わったときは、ファンガード部１１０の中央部が最も撓みやすい。この実施の形態の例では、ファン２２の中央のボス部２２Ａが、翼部２２Ｂから下方に窪んでいるため、ファンガード部１１０とファン２２との接触のおそれが抑制されている。
【００２７】
図９は、ファンの径方向位置とファンの吸気の速度との関係を説明する図である。図９に示すように、ファン２２の吸入側において、翼部２２Ｂのボス部２２Ａに近い側で吸入速度が遅くなり、翼部２２Ｂのボス部２２Ａから遠い側で吸入速度が速くなる。したがって、翼部２２Ｂの外方側において、翼部２２Ｂと取付部材９０との間の距離を大きくとることによって、ファン２２の吸気のロスを低減することができる。図６に示すように、この実施の形態の例では、固定部９２と連結部９３との連結位置が、ボス部２２Ａと翼部２２Ｂとの接続部と翼部２２Ｂの端部とを結ぶ直線の中間位置よりも、外方に位置している。つまり、取付部材９０は、翼部２２Ｂの中間位置よりも外方で、固定部９２から下方に曲がり始めた形状を有している。例えば、連結部９３は、固定部９２から垂直に下方に曲げられた形状を有しているが、連結部９３は、固定部９２から傾斜して下方に曲げられた形状を有するものであってもよい。この実施の形態の例では、翼部２２Ｂの外方側において、翼部２２Ｂの下部と取付部材９０との間の距離が、翼部２２Ｂの下部とユニット保持部９４との間の長さとなるため、ファン２２の吸気のロスを低減することができる。なお、固定部９２と連結部９３との連結位置を、ボス部２２Ａと翼部２２Ｂとの接続部と翼部２２Ｂの端部とを結ぶ直線の中間位置よりも、外方に位置させることでファン２２の吸気のロスを低減することができるが、さらに好適には、固定部９２と連結部９３との連結位置を、翼部２２Ｂの端部よりも、外方に位置させることで、ファン２２の吸気のロスを低減することができる。
【００２８】
［比較例との対比］
図１０は、図５の比較例である比較例１の図であり、図１１は、図６の比較例である比較例２の図であり、図１２は、室外ユニットの吸気排気ロスについて、実施の形態１の室外ユニットと、比較例１と、比較例２と、を比較した図である。なお、図１２において、Ａはファン自体の吸気ロスを示し、Ｂは取付部材によって発生するファンの吸気ロスを示し、Ｃは熱交換器の配置によって発生する吸気ロスを示し、Ｄは排気時に発生する排気ロスを示している。
【００２９】
図１０に示すように、比較例１では、熱交換室１５０に配設された熱交換器１８０は、２回曲げ形状を有している。比較例１では、側面１４０Ａ、側面１４０Ｂ、および側面１４０Ｃの、３つの側面から吸い込まれた空気が熱交換器１８０を通過するように構成されている。比較例１では、熱交換室１５０の周方向から空気が均一に吸い込まれないため吸気バランスが悪く、図１２に示すように、熱交換器の配置による吸気ロスＣが大きくなっている。比較例１と比較して、この実施の形態の室外ユニット１は、図５に示すように、前面、両側面および背面の全周方向から、空気が均一に吸い込まれる構成であるため、熱交換器の配置による吸気ロスＣが改善されている。
【００３０】
図１１に示すように、比較例２では、ファン２２０とファンモータ２３０とを有するファンユニット２４０が、直線形状の取付部材１９０によって、本体ケースに取り付けられている。比較例２では、ファン２２０の中央部のボス部２２０Ａが、翼部２２０Ｂよりも上方に位置しており、ファンガード部１１１と最も近接している。ファンガード部１１１は、仮想線１１１Ａで示すように、中央部が最も撓みやすくなっている。したがって、比較例２では、ファンガード部１１１とボス部２２０Ａとの接触のおそれが高まっている。比較例２と比較して、この実施の形態の室外ユニット１は、図６に示すように、ボス部２２Ａが、翼部２２Ｂから下方に窪んでいるため、ファンガード部１１０とファン２２との接触のおそれが低減されている。
【００３１】
また、図１１に示すように、比較例２では、ファン２２０のボス部２２０Ａが、翼部２２０Ｂよりも上方に位置しているため、空力特性を得るために、翼部２２０Ｂの下部が下方に大きく突出し、翼部２２０Ｂの下部と取付部材１９０との間が近接している。比較例２では、翼部２２０Ｂの下部と取付部材１９０との間が近接しているため、ファン２２０の吸気が妨げられており、図１２に示すように、取付部材によって発生するファンの吸気ロスＢが大きくなっている。比較例２と比較して、この実施の形態の室外ユニット１は、図６に示すように、ボス部２２Ａが、翼部２２Ｂの上部から下方に窪んでおり、翼部２２Ｂがボス部２２Ａの上方にも形成されている。この実施の形態の室外ユニット１では、比較例２とは異なり、空力特性を得るために、翼部２２Ｂの下部を下方に大きく突出させる必要性がない。したがって、この実施の形態の室外ユニット１では、翼部２２Ｂの下部と取付部材９０との間の距離を大きくとることができるため、図１２に示すように、取付部材によって発生するファンの吸気ロスＢが低減されている。
【００３２】
なお、図１０に記載された比較例１のように、空気が熱交換室１５０の周方向から均一に吸い込まれない室外ユニットにおいては、図１２に示すように、熱交換器の配置による吸気ロスＣが大きく、取付部材によって発生するファンの吸気ロスＢは相対的に小さい。したがって、比較例１のような室外ユニットでは、取付部材によって発生するファンの吸気ロスＢを改善することで得られる効果が小さい。しかしながら、図５に示すように、前面、両側面および背面の全周方向から、空気が均一に吸い込まれる室外ユニットにおいては、図１２示すように、取付部材によって発生するファンの吸気ロスＢの影響が大きくなるため、取付部材によって発生するファンの吸気ロスＢを低減する効果が顕著となる。
【００３３】
上記のように、この実施の形態の室外ユニット１では、ファンユニット２４が、取付部材９０によって、本体ケース１０１に取り付けられている。取付部材９０は、本体ケースに固定された固定部９２と、ファンユニット２４を保持しているユニット保持部９４と、を含んでおり、ユニット保持部９４は、固定部９２から窪んでいる。この実施の形態では、ファンユニット２４が固定部９２から下方に窪んだユニット保持部９４に保持されているため、高さ方向に小型化された室外ユニット１を得ることができる。また、ファンユニット２４が固定部９２から下方に窪んだユニット保持部９４に保持されることによって、室外ユニット１の低重心化が達成されている。
【００３４】
また、この実施の形態の室外ユニット１では、ファン２２の中央のボス部２２Ａが、翼部２２Ｂの頂部から下方に窪んでいる。ファン２２の上方を覆うファンガード部１１１は、外周部が本体ケース１０１のベルマウス部１０６に固定されているため、ファンガード部１１１は中央部が撓みやすくなっている。この実施の形態の室外ユニット１では、ファン２２の中央のボス部２２Ａが窪んでいるため、ファン２２とファンガード部１１１との接触のおそれが抑制されており、安全性が向上されている。
【００３５】
また、この実施の形態の室外ユニット１では、ファン２２のボス部２２Ａが、翼部２２Ｂの頂部から下方に窪んでおり、翼部２２Ｂは、ボス部２２Ａの上方に形成された部分を含んでいる。したがって、この実施の形態では、翼部２２Ｂの下部を上方に位置させることができるため、翼部２２Ｂの下部と取付部材９０との間の距離を大きくとることができる。したがって、この実施の形態では、取付部材９０によって発生するファン２２の吸気ロスが低減されており、さらに吸気ロスが低減されることによって低騒音化が達成されている。
【００３６】
この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【符号の説明】
【００３７】
１  室外ユニット、１２  圧縮機、１４  流路切替装置、１４Ａ  第１流路切替装置、１４Ｂ  第２流路切替装置、１６  減圧装置、１６Ａ  第１減圧装置、１６Ｂ  第２減圧装置、１８  熱交換器、１８Ａ  第１熱交換器、１８Ｂ  第２熱交換器、２２  ファン、２２Ａ  ボス部、２２Ｂ  翼部、２３  ファンモータ、２４  ファンユニット、２６  アキュムレータ、８６  前面側フレーム、８７  背面側フレーム、９０  取付部材、９２  固定部、９３  連結部、９４  ユニット保持部、１０１  本体ケース、１０２Ａ  開閉パネル、１０２Ｂ  左側面下部パネル、１０２Ｃ  背面下部パネル、１０２Ｄ  右側面下部パネル、１０３  機械室、１０４  吸気部、１０４Ａ  前面吸気部、１０４Ｂ  左側面吸気部、１０４Ｃ  背面吸気部、１０４Ｄ  右側面吸気部、１０５  熱交換室、１０６  ベルマウス部、１０９  吹出部、１１０  ファンガード部、１１０Ａ  仮想線、１１１  ファンガード部、１１１Ａ  仮想線、１４０Ａ  側面、１４０Ｂ  側面、１４０Ｃ  側面、１５０  熱交換室、１８０  熱交換器、１９０  取付部材、２００  室内ユニット、２０２  利用側熱交換器、２０４  膨脹装置、２２０  ファン、２２０Ａ  ボス部、２２０Ｂ  翼部、２３０  ファンモータ、２４０  ファンユニット。
【図１】
2017094056.tif 000003
【図２】
2017094056.tif 000004
【図３】
2017094056.tif 000005
【図４】
2017094056.tif 000006
【図５】
2017094056.tif 000007
【図６】
2017094056.tif 000008
【図７】
2017094056.tif 000009
【図８】
2017094056.tif 000010
【図９】
2017094056.tif 000011
【図１０】
2017094056.tif 000012
【図１１】
2017094056.tif 000013
【図１２】
2017094056.tif 000014
【手続補正書】
【提出日】平成29年12月14日(2017.12.14)
【手続補正１】
【補正対象書類名】明細書
【補正対象項目名】０００６
【補正方法】変更
【補正の内容】
【０００６】
この発明に係る室外ユニットは、側方に空気を吸い込む吸気部が形成され、上方に吸気部から吸い込まれた空気を吹き出す吹出部が形成され、吸気部と吹出部との間に風路が形成された本体ケースと、風路に配設された熱交換器と、熱交換器の上方で風路に配設されたファンユニットと、ファンユニットを、本体ケースに取り付けている取付部材と、を備え、取付部材は、本体ケースに固定された固定部と、ファンユニットを載置させて保持する平板状のユニット保持部と、固定部とユニット保持部とを連結する連結部と、を有し、固定部と、ユニット保持部と、連結部とが一体的に形成されており、ユニット保持部が、固定部から下方に窪んでいるものである。
【手続補正２】
【補正対象書類名】特許請求の範囲
【補正対象項目名】全文
【補正方法】変更
【補正の内容】
【特許請求の範囲】
【請求項１】
側方に空気を吸い込む吸気部が形成され、上方に前記吸気部から吸い込まれた前記空気を吹き出す吹出部が形成され、前記吸気部と前記吹出部との間に風路が形成された本体ケースと、
前記風路に配設された熱交換器と、
前記熱交換器の上方で前記風路に配設されたファンユニットと、
前記ファンユニットを、前記本体ケースに取り付けている取付部材と、を備え、
前記取付部材は、前記本体ケースに固定された固定部と、前記ファンユニットを載置させて保持する平板状のユニット保持部と、前記固定部と前記ユニット保持部とを連結する連結部と、を有し、前記固定部と、前記ユニット保持部と、前記連結部とが一体的に形成されており、
前記ユニット保持部が、前記固定部から下方に窪んでいる、
室外ユニット。
【請求項２】
前記ファンユニットは、上方に突出した駆動軸を有するファンモータと、前記駆動軸に取り付けられたファンと、を含み、
前記ファンは、中央のボス部と、前記ボス部の周囲に形成された翼部と、を有し、
前記ボス部の上部が、前記翼部の頂部から下方に窪んでいる、
請求項１に記載の室外ユニット。
【請求項３】
前記ファンの上方を覆うファンガード部をさらに備え、
前記ファンガード部の外周部が、前記本体ケースに固定されている、
請求項２に記載の室外ユニット。
【請求項４】
前記取付部材は、前記ボス部と前記翼部との接続部と前記翼部の端部とを結ぶ直線の中間位置よりも外方で、前記固定部から下方に曲げられた形状を有している、
請求項２または請求項３に記載の室外ユニット。
【請求項５】
前記本体ケースは、側方に４つの側面を含む形状を有し、
前記取付部材は、対向する前記側面の両側で、前記本体ケースと固定されている、
請求項１〜請求項４の何れか一項に記載の室外ユニット。
【請求項６】
前記本体ケースは、直方体形状で構成されており、
前記取付部材は、前記本体ケースの対向する長辺側の両側面で、前記本体ケースと固定されている、
請求項５に記載の室外ユニット。
【請求項７】
前記本体ケースは、４つの前記側面を形成するフレームを有し、
前記取付部材は、対向する前記側面を形成する前記フレームの上部に、前記固定部が固定されて、前記本体ケースと固定されている、
請求項５または請求項６に記載の室外ユニット。
【請求項８】
前記吸気部は、４つの前記側面のそれぞれに形成されており、
前記熱交換器は、前記吸気部のそれぞれと対向し、それぞれの前記吸気部から吸い込まれた前記空気と熱交換する、４つの熱交換部を有する、
請求項５〜請求項７の何れか一項に記載の室外ユニット。
【国際調査報告】
2017094056.tif 000015
2017094056.tif 000016
2017094056.tif 000017
2017094056.tif 000018